(57)【特許請求の範囲】
【請求項１】
間隔を有して対向配置された一対の光透過性基板と、
前記一対の光透過性基板を貼り合わせて、前記一対の光透過性基板の間に封止空間を区画するシール材と、
画像を光学的に表示するために前記封止空間に配置された複数のシャッタと、
前記封止空間に充填された光学等方性を有する液体と、
前記一対の光透過性基板の少なくとも一方と前記液体との間に配置された光学膜と、
を有し、
前記光学膜の一方の面は、前記液体に接触し、
前記光学膜の他方の面は、前記一対の光透過性基板の一方に接触し、
前記光学膜の屈折率は、前記光学膜と接触する前記一方の光透過性基板の屈折率とは異なっており、
前記光学膜は、前記シール材に囲まれた領域における少なくとも前記シール材に隣接する部分に配置され、
前記光学膜は、前記シール材に囲まれた領域の外側に至るように配置されていることを特徴とする表示装置。
【請求項２】
請求項１に記載された表示装置において、
前記光学膜は、単層からなることを特徴とする表示装置。
【請求項３】
請求項１に記載された表示装置において、
前記光学膜は、複数層からなることを特徴とする表示装置。
【請求項４】
請求項１に記載された表示装置において、
前記光学膜の前記屈折率は、前記光学膜と接触する前記一方の光透過性基板の前記屈折率よりも大きく、空気及び前記液体の屈折率よりも大きいことを特徴とする表示装置。
【請求項５】
請求項１に記載された表示装置において、
前記光学膜は、下面に前記一方の光透過性基板が隣接するように配置され、上面に自然光を投射したときに、前記上面で反射して進行する反射光と、前記光学膜に入射して下面で反射して前記上面から出射する反射光とが干渉することを特徴とする表示装置。
【請求項６】
請求項１に記載された表示装置において、
前記光学膜は、上面に前記一方の光透過性基板が隣接するように配置され、前記上面に自然光を投射したときに、前記上面で反射して進行する反射光と、前記光学膜に入射して下面で反射して前記上面から出射する反射光とが干渉することを特徴とする表示装置。
【請求項７】
請求項１に記載された表示装置において、
前記光学膜は、第１光学膜と第２光学膜を含み、
前記第１光学膜及び前記第２光学膜のそれぞれは、上面及び下面を有し、
前記第１光学膜の前記下面に一方の前記光透過性基板が隣接し、
前記第２光学膜の前記上面に他方の前記光透過性基板が隣接し、
前記第１光学膜及び前記第２光学膜のそれぞれの前記上面に自然光を投射したときに、前記第１光学膜の前記上面で反射して進行する反射光と、前記第１光学膜に入射して前記第１光学膜の下面で反射して前記第１光学膜の前記上面から出射する反射光とが干渉し、前記第２光学膜の前記上面で反射して進行する反射光と、前記第２光学膜に入射して前記第２光学膜の下面で反射して前記第２光学膜の前記上面から出射する反射光とが干渉することを特徴とする表示装置。
【請求項８】
請求項５に記載された表示装置において、
前記光学膜の前記上面に隣接する物質の屈折率をｎ０、前記光学膜の屈折率をｎ１、前記光学膜と接触する前記一方の光透過性基板の前記屈折率をｎ２とすると、
ｎ０＜ｎ１、且つｎ２＜ｎ１
であり、
前記自然光は、波長及び前記光学膜への入射角度が異なる光線群からなり、
前記自然光に含まれる波長λ０の光線群は、前記上面で反射する第１光線と、前記下面で反射して前記上面から出射する第２光線と、を含み、
前記第１光線と前記第２光線との光路差が、前記波長λ０の１／２の奇数倍であるときに、前記第１光線及び前記第２光線の反射率は、
Ｒmax＝（（ｎ０ｎ２−ｎ１２）／（ｎ０ｎ２＋ｎ１２））２
で求められる最大値を示し、
前記第１光線と前記第２光線との光路差が、前記波長λ０の整数倍であるときに、前記第１光線及び前記第２光線の反射率は、
Ｒmin＝（（ｎ０−ｎ２）／（ｎ０＋ｎ２））２
で求められる最小値を示し、
前記自然光が前記液体を通過したときの前記自然光の反射率は、前記最小値及び前記最大値を求める前記式のｎ０に前記液体の屈折率を代入して得られる最小反射率ＲLIQUIDminから最大反射率ＲLIQUIDmaxの範囲であり、
前記液体が前記光学膜上に気泡を含有し、前記自然光が前記気泡を通過したときの前記自然光の反射率は、前記最小値及び前記最大値を求める前記式のｎ０に空気の屈折率を代入して得られる最小反射率ＲAirminから最大反射率ＲAirmaxの範囲であり、
前記最小反射率ＲAirminと前記最大反射率ＲAirmaxの平均値及び前記最小反射率ＲLIQUIDminと前記最大反射率ＲLIQUIDmaxの平均値の一方は、他方の２倍よりも大きいことを特徴とする表示装置。
【請求項９】
請求項６に記載された表示装置において、
前記光学膜の前記下面に隣接する物質の屈折率をｎ０、前記光学膜の屈折率をｎ１、前記光学膜と接触する前記一方の光透過性基板の前記屈折率をｎ２とすると、
ｎ０＜ｎ１、且つｎ２＜ｎ１
であり、
前記自然光は、波長及び前記光学膜への入射角度が異なる光線群からなり、
前記自然光に含まれる波長λ０の光線群は、前記上面で反射する第１光線と、前記下面で反射して前記上面から出射する第２光線と、を含み、
前記第１光線と前記第２光線との光路差が、前記波長λ０の１／２の奇数倍であるときに、前記第１光線及び前記第２光線の反射率は、
Ｒmax＝（（ｎ２ｎ０−ｎ１２）／（ｎ２ｎ０＋ｎ１２））２
で求められる最大値を示し、
前記第１光線と前記第２光線との光路差が、前記波長λ０の整数倍であるときに、前記第１光線及び前記第２光線の反射率は、
Ｒmin＝（（ｎ２−ｎ０）／（ｎ２＋ｎ０））２
で求められる最小値を示し、
前記自然光が前記液体の上方で前記上面及び前記下面に反射したときの前記自然光の反射率は、前記最小値及び前記最大値を求める前記式のｎ０に前記液体の屈折率を代入して得られる最小反射率ＲLIQUIDminから最大反射率ＲLIQUIDmaxの範囲であり、
前記液体が前記光学膜上に気泡を含有し、前記自然光が前記気泡の上方で前記上面及び前記下面に反射したときの前記自然光の反射率は、前記最小値及び前記最大値を求める前記式のｎ０に空気の屈折率を代入して得られる最小反射率ＲAirminから最大反射率ＲAirmaxの範囲であり、
前記最小反射率ＲAirminと前記最大反射率ＲAirmaxの平均値及び前記最小反射率ＲLIQUIDminと前記最大反射率ＲLIQUIDmaxの平均値の一方は、他方の２倍よりも大きいことを特徴とする表示装置。
【請求項１０】
請求項７に記載された表示装置において、
前記第１光学膜の前記上面及び前記第２光学膜の前記下面に隣接する物質の屈折率をｎ０、前記第１光学膜の屈折率をｎ１、前記第１光学膜と接触する一方の前記光透過性基板の前記屈折率をｎ２とすると、
ｎ０＜ｎ１、且つｎ２＜ｎ１
であり、
前記第２光学膜の屈折率をｎ１２、前記第２光学膜と接触する他方の前記光透過性基板の前記屈折率をｎ２２とすると、
ｎ０＜ｎ１２、且つｎ２２＜ｎ１２
であり、
前記自然光は、波長並びに前記第１光学膜及び前記第２光学膜への入射角度が異なる光線群からなり、
前記自然光に含まれる波長λ０の光線群は、前記第１光学膜の前記上面で反射する第１光線と、前記第１光学膜の前記下面で反射して前記第１光学膜の前記上面から出射する第２光線と、前記第２光学膜の前記上面で反射する第３光線と、前記第２光学膜の前記下面で反射して前記上面から出射する第４光線と、を含み、
前記第１光線と前記第２光線との光路差が、前記波長λ０の１／２の奇数倍であるときに、前記第１光学膜の前記上面及び前記下面での前記第１光線及び前記第２光線の反射率は、
Ｒmax＝（（ｎ０ｎ２−ｎ１２）／（ｎ０ｎ２＋ｎ１２））２
で求められる第１最大値を示し、
前記第１光線と前記第２光線との光路差が、前記波長λ０の整数倍であるときに、前記第１光学膜の前記上面及び前記下面での前記第１光線及び前記第２光線の反射率は、
Ｒmin＝（（ｎ０−ｎ２）／（ｎ０＋ｎ２））２
で求められる第１最小値を示し、
前記自然光が前記液体を通過したときの前記第１光学膜の前記上面及び前記下面での前記自然光の反射率は、前記第１最小値及び前記第１最大値を求める前記式のｎ０に前記液体の屈折率を代入して得られる最小反射率ＲLIQUIDminから最大反射率ＲLIQUIDmaxの範囲であり、
前記液体が前記第１光学膜上に気泡を含有し、前記自然光が前記気泡を通過したときの前記第１光学膜の前記上面及び前記下面での前記自然光の反射率は、前記第１最小値及び前記第１最大値を求める前記式のｎ０に空気の屈折率を代入して得られる最小反射率ＲAirminから最大反射率ＲAirmaxの範囲であり、
最小反射率ＲAirminと最大反射率ＲAirmaxの平均値は、最小反射率ＲLIQUIDminと最大反射率ＲLIQUIDmaxの平均値の２倍よりも大きく、
前記第３光線と前記第４光線との光路差が、前記波長λ０の１／２の奇数倍であるときに、前記第２光学膜の前記上面及び前記下面での前記第３光線及び前記第４光線の反射率は、
Ｒmax2＝（（ｎ２２ｎ０−ｎ１２２）／（ｎ２２ｎ０＋ｎ１２２））２
で求められる第２最大値を示し、
前記第３光線と前記第４光線との光路差が、前記波長λ０の整数倍であるときに、前記第２光学膜の前記上面及び前記下面での前記第３光線及び前記第４光線の反射率は、
Ｒmin2＝（（ｎ２２−ｎ０）／（ｎ２２＋ｎ０））２
で求められる第２最小値を示し、
前記自然光が前記液体の上方で反射したときの前記第２光学膜の前記上面及び前記下面での前記自然光の反射率は、前記第２最小値及び前記第２最大値を求める前記式のｎ０に空気の屈折率を代入して得られる最小反射率ＲLIQUIDmin2から最大反射率ＲLIQUIDmax2の範囲であり、
前記自然光が前記気泡の上方で反射したときの前記第２光学膜の前記上面及び前記下面での前記自然光の反射率は、前記第２最小値及び前記第２最大値を求める前記式のｎ０に空気の屈折率を代入して得られる最小反射率ＲAirmin2から最大反射率ＲAirmax2の範囲であり、
前記最小反射率ＲAirmin2と前記最大反射率ＲAirmax2の平均値及び前記最小反射率ＲLIQUIDmin2と前記最大反射率ＲLIQUIDmax2の平均値の一方は、他方の２倍よりも大きいことを特徴とする表示装置。
【請求項１１】
請求項１に記載された表示装置において、
前記シール材は、前記一対の光透過性基板の周縁部を避けて配置され、
前記一対の光透過性基板の前記周縁部は、前記シール材から外側に突出することを特徴とする表示装置。
【請求項１２】
請求項１１に記載された表示装置において、
前記シール材は、前記一対の光透過性基板の前記周縁部の全体を避けて配置され、
前記一対の光透過性基板の前記周縁部の全体が、前記シール材から外側に突出することを特徴とする表示装置。
【請求項１３】
請求項１１に記載された表示装置において、
前記シール材は、前記一対の光透過性基板の前記周縁部の第１部分を避けて、前記一対の光透過性基板の前記周縁部の第２部分を通るように配置され、
前記一対の光透過性基板の前記周縁部の前記第１部分が、前記シール材から外側に突出することを特徴とする表示装置。
【請求項１４】
請求項１に記載された表示装置において、
前記一対の光透過性基板はそれぞれ矩形の平面形状を有し、
前記シール材は、前記一対の光透過性基板の角部を避けて配置され、
前記一対の光透過性基板の前記角部が、前記シール材から外側に突出することを特徴とする表示装置。
【請求項１５】
請求項１に記載された表示装置において、
前記光学膜は、前記シール材に囲まれた領域の全体にわたって配置されていることを特徴とする表示装置。
【請求項１６】
請求項１に記載された表示装置において、
前記光学膜は、ＺｎＯ、ＺｎＣｒＯ４及びＡＬ２Ｏ３からなる群より選択される一つの材料から形成されていることを特徴とする表示装置。
【請求項１７】
請求項１に記載された表示装置において、
バックライトをさらに有し、
前記複数のシャッタは少なくとも一つの開口を有し、
前記複数のシャッタは機械的に可動であると共に、前記バックライトからの光の透過及び遮断を制御することを特徴とする表示装置。
【発明の詳細な説明】
【技術分野】
【０００１】
本発明は、本発明は、表示装置に関し、特に画素に微小電気機械システム（Micro Electro Mechanical Systems：ＭＥＭＳ）を用いた表示装置に関する。
【背景技術】
【０００２】
ＭＥＭＳディスプレイ（Micro Electro Mechanical System Display）は、液晶ディスプレイに取って代わると期待されているディスプレイである（特許文献１参照）。このディスプレイは、偏光を利用した液晶シャッタ方式とは異なり、機械シャッタ方式によって光の透過窓を開閉することにより明暗を表示する。機械式のシャッタ（以下、単にシャッタとも呼ぶ。）は、アモルファスシリコンの膜からなり、１画素を構成する１シャッタの縦横サイズは数100μｍオーダで厚みが数μｍオーダである。１シャッタの開閉により、１画素分のオンオフ動作が可能となる。シャッタは、静電引力によって動作するようになっている。
【先行技術文献】
【特許文献】
【０００３】
【特許文献１】特開２００８−１９７６６８号公報
【発明の概要】
【発明が解決しようとする課題】
【０００４】
シャッタが動作するパネル内はオイルで満たしてあり、オイルによってパネル内の誘電率を上げることでシャッタを駆動するために必要な電圧を低下させている。オイルはシールによって封止されているが、シールの剥離や傷によってオイルが抜けることがある。オイルが抜けると、パネルの内部（オイルで満たされている領域）に気泡が発生することがあった。しかし、オイルで満たされた領域の色と、気泡が発生している領域の色の違いはわずかであって、これを目視で確認すること、即ち気泡の存在を視認することは難しかった。
【０００５】
本発明は、充填された液体に生じた気泡を確認しやすくすることを目的とする。
【課題を解決するための手段】
【０００６】
（１）本発明に係る表示装置は、間隔を有して対向配置された一対の光透過性基板と、前記一対の光透過性基板を貼り合わせて、前記一対の光透過性基板の間に封止空間を区画するシール材と、画像を光学的に表示するために前記封止空間に配置された複数のシャッタと、前記封止空間に充填された光学等方性を有する液体と、前記一対の光透過性基板の少なくとも一方と前記液体との間に配置された光学膜と、を有し、前記光学膜の一方の面は、前記液体に接触し、前記光学膜の他方の面は、前記一対の光透過性基板の一方に接触し、前記光学膜の屈折率は、前記光学膜と接触する前記一方の光透過性基板の屈折率とは異なることを特徴とする。シミュレーションによって、光透過性基板とは屈折率が異なる光学膜を配置したところ、液体に気泡が生じたときに、液体を通る光と気泡を通る光の反射率の差が大きくなることが分かった。本発明によれば、反射率の差により気泡を確認しやすくなる。
【０００７】
（２）（１）に記載された表示装置において、前記光学膜は、単層からなることを特徴としてもよい。
【０００８】
（３）（１）に記載された表示装置において、前記光学膜は、複数層からなることを特徴としてもよい。
【０００９】
（４）（１）から（３）のいずれか１項に記載された表示装置において、前記光学膜の前記屈折率は、前記光学膜と接触する前記一方の光透過性基板の前記屈折率よりも大きく、空気及び前記液体の屈折率よりも大きいことを特徴としてもよい。
【００１０】
（５）（１）から（４）のいずれか１項に記載された表示装置において、前記光学膜は、下面に前記一方の光透過性基板が隣接するように配置され、上面に自然光を投射したときに、前記上面で反射して進行する反射光と、前記光学膜に入射して下面で反射して前記上面から出射する反射光とが干渉することを特徴としてもよい。
【００１１】
（６）（１）から（４）のいずれか１項に記載された表示装置において、前記光学膜は、上面に前記一方の光透過性基板が隣接するように配置され、前記上面に自然光を投射したときに、前記上面で反射して進行する反射光と、前記光学膜に入射して下面で反射して前記上面から出射する反射光とが干渉することを特徴としてもよい。
【００１２】
（７）（１）から（４）のいずれか１項に記載された表示装置において、前記光学膜は、第１光学膜と第２光学膜を含み、前記第１光学膜及び前記第２光学膜のそれぞれは、上面及び下面を有し、前記第１光学膜の前記下面に一方の前記光透過性基板が隣接し、前記第２光学膜の前記上面に他方の前記光透過性基板が隣接し、前記第１光学膜及び前記第２光学膜のそれぞれの前記上面に自然光を投射したときに、前記第１光学膜の前記上面で反射して進行する反射光と、前記第１光学膜に入射して前記第１光学膜の下面で反射して前記第１光学膜の前記上面から出射する反射光とが干渉し、前記第２光学膜の前記上面で反射して進行する反射光と、前記第２光学膜に入射して前記第２光学膜の下面で反射して前記第２光学膜の前記上面から出射する反射光とが干渉することを特徴としてもよい。
【００１３】
（８）（５）に記載された表示装置において、前記光学膜の前記上面に隣接する物質の屈折率をｎ０、前記光学膜の屈折率をｎ１、前記光学膜と接触する前記一方の光透過性基板の前記屈折率をｎ２とすると、
ｎ０＜ｎ１、且つｎ２＜ｎ１
であり、前記自然光は、波長及び前記光学膜への入射角度が異なる光線群からなり、前記自然光に含まれる波長λ０の光線群は、前記上面で反射する第１光線と、前記下面で反射して前記上面から出射する第２光線と、を含み、前記第１光線と前記第２光線との光路差が、前記波長λ０の１／２の奇数倍であるときに、前記第１光線及び前記第２光線の反射率は、
Ｒmax＝（（ｎ０ｎ２−ｎ１２）／（ｎ０ｎ２＋ｎ１２））２
で求められる最大値を示し、前記第１光線と前記第２光線との光路差が、前記波長λ０の整数倍であるときに、前記第１光線及び前記第２光線の反射率は、
Ｒmin＝（（ｎ０−ｎ２）／（ｎ０＋ｎ２））２
で求められる最小値を示し、
前記自然光が前記液体を通過したときの前記自然光の反射率は、前記最小値及び前記最大値を求める前記式のｎ０に前記液体の屈折率を代入して得られる最小反射率ＲLIQUIDminから最大反射率ＲLIQUIDmaxの範囲であり、前記液体が前記光学膜上に気泡を含有し、前記自然光が前記気泡を通過したときの前記自然光の反射率は、前記最小値及び前記最大値を求める前記式のｎ０に空気の屈折率を代入して得られる最小反射率ＲAirminから最大反射率ＲAirmaxの範囲であり、前記最小反射率ＲAirminと前記最大反射率ＲAirmaxの平均値及び前記最小反射率ＲLIQUIDminと前記最大反射率ＲLIQUIDmaxの平均値の一方は、他方の２倍よりも大きいことを特徴としてもよい。
【００１４】
（９）（６）に記載された表示装置において、前記光学膜の前記下面に隣接する物質の屈折率をｎ０、前記光学膜の屈折率をｎ１、前記光学膜と接触する前記一方の光透過性基板の前記屈折率をｎ２とすると、
ｎ０＜ｎ１、且つｎ２＜ｎ１
であり、前記自然光は、波長及び前記光学膜への入射角度が異なる光線群からなり、前記自然光に含まれる波長λ０の光線群は、前記上面で反射する第１光線と、前記下面で反射して前記上面から出射する第２光線と、を含み、前記第１光線と前記第２光線との光路差が、前記波長λ０の１／２の奇数倍であるときに、前記第１光線及び前記第２光線の反射率は、
Ｒmax＝（（ｎ２ｎ０−ｎ１２）／（ｎ２ｎ０＋ｎ１２））２
で求められる最大値を示し、
前記第１光線と前記第２光線との光路差が、前記波長λ０の整数倍であるときに、前記第１光線及び前記第２光線の反射率は、
Ｒmin＝（（ｎ２−ｎ０）／（ｎ２＋ｎ０））２
で求められる最小値を示し、前記自然光が前記液体の上方で前記上面及び前記下面に反射したときの前記自然光の反射率は、前記最小値及び前記最大値を求める前記式のｎ０に前記液体の屈折率を代入して得られる最小反射率ＲLIQUIDminから最大反射率ＲLIQUIDmaxの範囲であり、前記液体が前記光学膜上に気泡を含有し、前記自然光が前記気泡の上方で前記上面及び前記下面に反射したときの前記自然光の反射率は、前記最小値及び前記最大値を求める前記式のｎ０に空気の屈折率を代入して得られる最小反射率ＲAirminから最大反射率ＲAirmaxの範囲であり、前記最小反射率ＲAirminと前記最大反射率ＲAirmaxの平均値及び前記最小反射率ＲLIQUIDminと前記最大反射率ＲLIQUIDmaxの平均値の一方は、他方の２倍よりも大きいことを特徴としてもよい。
【００１５】
（１０）（７）に記載された表示装置において、前記第１光学膜の前記上面及び前記第２光学膜の前記下面に隣接する物質の屈折率をｎ０、前記第１光学膜の屈折率をｎ１、前記第１光学膜と接触する一方の前記光透過性基板の前記屈折率をｎ２とすると、
ｎ０＜ｎ１、且つｎ２＜ｎ１
であり、前記第２光学膜の屈折率をｎ１２、前記第２光学膜と接触する他方の前記光透過性基板の前記屈折率をｎ２２とすると、
ｎ０＜ｎ１２、且つｎ２２＜ｎ１２
であり、前記自然光は、波長並びに前記第１光学膜及び前記第２光学膜への入射角度が異なる光線群からなり、前記自然光に含まれる波長λ０の光線群は、前記第１光学膜の前記上面で反射する第１光線と、前記第１光学膜の前記下面で反射して前記第１光学膜の前記上面から出射する第２光線と、前記第２光学膜の前記上面で反射する第３光線と、前記第２光学膜の前記下面で反射して前記上面から出射する第４光線と、を含み、前記第１光線と前記第２光線との光路差が、前記波長λ０の１／２の奇数倍であるときに、前記第１光学膜の前記上面及び前記下面での前記第１光線及び前記第２光線の反射率は、
Ｒmax＝（（ｎ０ｎ２−ｎ１２）／（ｎ０ｎ２＋ｎ１２））２
で求められる第１最大値を示し、前記第１光線と前記第２光線との光路差が、前記波長λ０の整数倍であるときに、前記第１光学膜の前記上面及び前記下面での前記第１光線及び前記第２光線の反射率は、
Ｒmin＝（（ｎ０−ｎ２）／（ｎ０＋ｎ２））２
で求められる第１最小値を示し、前記自然光が前記液体を通過したときの前記第１光学膜の前記上面及び前記下面での前記自然光の反射率は、前記第１最小値及び前記第１最大値を求める前記式のｎ０に前記液体の屈折率を代入して得られる最小反射率ＲLIQUIDminから最大反射率ＲLIQUIDmaxの範囲であり、前記液体が前記第１光学膜上に気泡を含有し、前記自然光が前記気泡を通過したときの前記第１光学膜の前記上面及び前記下面での前記自然光の反射率は、前記第１最小値及び前記第１最大値を求める前記式のｎ０に空気の屈折率を代入して得られる最小反射率ＲAirminから最大反射率ＲAirmaxの範囲であり、最小反射率ＲAirminと最大反射率ＲAirmaxの平均値は、最小反射率ＲLIQUIDminと最大反射率ＲLIQUIDmaxの平均値の２倍よりも大きく、前記第３光線と前記第４光線との光路差が、前記波長λ０の１／２の奇数倍であるときに、前記第２光学膜の前記上面及び前記下面での前記第３光線及び前記第４光線の反射率は、
Ｒmax2＝（（ｎ２２ｎ０−ｎ１２２）／（ｎ２２ｎ０＋ｎ１２２））２
で求められる第２最大値を示し、前記第３光線と前記第４光線との光路差が、前記波長λ０の整数倍であるときに、前記第２光学膜の前記上面及び前記下面での前記第３光線及び前記第４光線の反射率は、
Ｒmin2＝（（ｎ２２−ｎ０）／（ｎ２２＋ｎ０））２
で求められる第２最小値を示し、前記自然光が前記液体の上方で反射したときの前記第２光学膜の前記上面及び前記下面での前記自然光の反射率は、前記第２最小値及び前記第２最大値を求める前記式のｎ０に空気の屈折率を代入して得られる最小反射率ＲLIQUIDmin2から最大反射率ＲLIQUIDmax2の範囲であり、前記自然光が前記気泡の上方で反射したときの前記第２光学膜の前記上面及び前記下面での前記自然光の反射率は、前記第２最小値及び前記第２最大値を求める前記式のｎ０に空気の屈折率を代入して得られる最小反射率ＲAirmin2から最大反射率ＲAirmax2の範囲であり、前記最小反射率ＲAirmin2と前記最大反射率ＲAirmax2の平均値及び前記最小反射率ＲLIQUIDmin2と前記最大反射率ＲLIQUIDmax2の平均値の一方は、他方の２倍よりも大きいことを特徴としてもよい。
【００１６】
（１１）（１）から（１０）のいずれか１項に記載された表示装置において、前記シール材は、前記一対の光透過性基板の周縁部を避けて配置され、前記一対の光透過性基板の前記周縁部は、前記シール材から外側に突出することを特徴としてもよい。
【００１７】
（１２）（１１）に記載された表示装置において、前記シール材は、前記一対の光透過性基板の前記周縁部の全体を避けて配置され、前記一対の光透過性基板の前記周縁部の全体が、前記シール材から外側に突出することを特徴としてもよい。
【００１８】
（１３）（１１）に記載された表示装置において、前記シール材は、前記一対の光透過性基板の前記周縁部の第１部分を避けて、前記一対の光透過性基板の前記周縁部の第２部分を通るように配置され、前記一対の光透過性基板の前記周縁部の前記１部分が、前記シール材から外側に突出することを特徴としてもよい。
【００１９】
（１４）（１）から（１０）のいずれか１項に記載された表示装置において、前記一対の光透過性基板はそれぞれ矩形の平面形状を有し、前記シール材は、前記一対の光透過性基板の角部を避けて配置され、前記一対の光透過性基板の前記角部が、前記シール材から外側に突出することを特徴としてもよい。
【００２０】
（１５）（１）から（１４）のいずれか１項に記載された表示装置において、前記光学膜は、前記シール材に囲まれた領域の内側の少なくとも前記シール材に隣接する部分に配置されていることを特徴としてもよい。
【００２１】
（１６）（１５）に記載された表示装置において、前記光学膜は、前記シール材に囲まれた領域の全体にわたって配置されていることを特徴としてもよい。
【００２２】
（１７）（１５）又は（１６）に記載された表示装置において、前記光学膜は、前記シール材に囲まれた領域の外側に至るように配置されていることを特徴としてもよい。
【００２３】
（１８）（１）から（１７）のいずれか１項に記載された表示装置において、前記光学膜は、ＺｎＯ、ＺｎＣｒＯ４及びＡＬ２Ｏ３からなる群より選択される一つの材料から形成されていることを特徴としてもよい。
【００２４】
（１９）（１）から（１８）のいずれか１項に記載された表示装置において、バックライトをさらに有し、前記複数のシャッタは少なくとも一つの開口を有し、前記複数のシャッタは機械的に可動であると共に、前記バックライトからの光の透過及び遮断を制御することを特徴としてもよい。
【図面の簡単な説明】
【００２５】
【図１】本発明の第１の実施形態に係る表示装置の平面図である。
【図２】本発明の第１の実施形態に係る表示装置の概略を示す断面図である。
【図３】シャッタ及びその駆動部を示す図である。
【図４】本発明の第１の実施形態に係る表示装置の作用効果を説明するための図である。
【図５】本発明の第２の実施形態に係る表示装置の作用効果を説明するための図である。
【図６】本発明の第３の実施形態に係る表示装置の作用効果を説明するための図である。
【図７】本発明の実施形態の変形例１を示す図である。
【図８】本発明の実施形態の変形例２を示す図である。
【発明を実施するための形態】
【００２６】
以下、本発明の実施形態について、図面を参照して説明する。
【００２７】
［第１の実施形態］
図１は、本発明の第１の実施形態に係る表示装置の平面図である。図２は、本発明の実施形態に係る表示装置の概略を示す断面図である。
【００２８】
表示装置は、一対の光透過性基板１０，１２（例えばガラス基板などの絶縁基板）を有する。一対の光透過性基板１０，１２は、間隔をあけて対向するように配置されている。一方の光透過性基板１０には、電気的な接続を図るためのフレキシブル配線基板１１が取り付けられている。
【００２９】
表示装置は、一対の光透過性基板１０，１２を貼り合わせて、一対の光透過性基板１０，１２の間に封止空間を区画するシール材１４を有する。シール材１４は、図１に示すように、一対の光透過性基板１０，１２の周縁部（図１ではその全体）を避けて配置されている。一対の光透過性基板１０，１２の周縁部（例えばその全体）は、シール材１４から外側に突出する。封止空間には光学等方性を有する液体１６が満たされている。液体１６は、例えばシリコーンオイルが好適である。光学異方性を有する液晶は、液体１６に含まれない。
【００３０】
表示装置は、バックライト２０と、画像を光学的に表示するために封止空間に配置された複数のシャッタ２２とを有する。シャッタ２２は、バックライト２０からの光の透過及び遮断を機械的に制御する。
【００３１】
図３は、シャッタ２２及びシャッタ２２を駆動する駆動部２４を示す図である。シャッタ２２及び駆動部２４は、液体１６内に配置されている。液体１６によってシャッタ２２及び駆動部２４の可動による望まない振動及び振動音を抑えることができる。
【００３２】
一方（例えば図２の下側）の光透過性基板１０に、図３に示すシャッタ２２が設けられている。シャッタ２２は、駆動開口２６を有するプレートである。駆動開口２６で光が通過し、駆動開口２６以外の部分で光を遮断する。駆動開口２６は一方向に長い形状になっている。なお、光は、図２に示すように、光透過性基板１０に重ねられたバックライト２０から供給される。図２ではバックライト２０は、シャッタ２２が設けられている方の光透過性基板１０に対向して配置されているが、他方の光透過性基板１２に対向して配置されてもよい。
【００３３】
シャッタ２２は、第１バネ２８に支持されて光透過性基板１０から浮くように、すなわち光透過性基板１０の主面から所定の間隙を有して配置されるようになっている。複数（図３では４つ）の第１バネ２８によってシャッタ２２が支持されている。第１バネ２８は、第１アンカー部３０で光透過性基板１０に固定されている。
【００３４】
第１バネ２８は、弾性変形可能な材料からなり、シャッタ２２の板面（プレートの主面）に平行な方向に変形できるように配置されている。詳しくは、第１バネ２８は、シャッタ２２から離れる方向（駆動開口２６の長手方向に交差（例えば直交）する方向）に延びる第１部３２と、駆動開口２６の長さ方向に沿った方向であって駆動開口２６の長さ方向の中央から外方向に向かって延びる第２部３４と、さらにシャッタ２２から離れる方向（駆動開口２６の長手方向に交差（例えば直交）する方向）に延びる第３部３６と、を有する。そして、シャッタ２２は、図３に矢印で示すように、駆動開口２６の長手方向に交差（例えば直交）する方向に移動できるようになっている。
【００３５】
光透過性基板１０には、第２アンカー部３８に支持された第２バネ４０が設けられている。第２バネ４０は、第１バネ２８の第２部３４よりもシャッタ２２から離れた側で、この第２部３４に対向するようになっている。第２アンカー部３８に電圧を印加し、第１バネ２８の第２部３４との電位差による静電引力によって、第２部３４が第２バネ４０に引き寄せられるようになっている。第２部３４が引き寄せられると、第２部３４と一体的な第１部３２を介して、シャッタ２２も引き寄せられる。つまり、第１バネ２８及び第２バネ４０は、シャッタ２２を機械的に駆動するための駆動部２４を構成するためのものである。
【００３６】
他方の光透過性基板１２には、図２に示すように遮光膜４２が形成されている。遮光膜４２には、固定開口４４が形成されている。シャッタ２２の上述した駆動開口２６と遮光膜４２の固定開口４４が連通すれば光が通過し、シャッタ２２の移動によって遮光膜４２の固定開口４４が遮蔽されると光が遮断される。言い換えると、遮光膜４２の固定開口４４への光の通過及び遮断を制御するように、シャッタ２２は機械的に駆動される。対応するシャッタ２２の駆動開口２６と遮光膜４２の固定開口４４とによって１画素が構成され、多数の画素によって画像が表示されるようになっている。そのため、光透過性基板１０には複数（多数）のシャッタ２２が設けられている。
【００３７】
表示装置は、図２に示すように、光学膜４６を有する。光学膜４６は、一対の光透過性基板１０，１２の少なくとも一方と液体１６との間に配置されている。光学膜４６は、単層からなる。光学膜４６の一方の面は、液体１６に接触している。光学膜４６の他方の面は、一対の光透過性基板１０，１２の一方に接触している。具体的には、光学膜４６は、下面４６ｂに一方の光透過性基板１０が隣接するように配置されている。
【００３８】
光学膜４６は、例えばＺｎＯ、ＺｎＣｒＯ４及びＡＬ２Ｏ３からなる群より選択される一つの材料から形成されている。光学膜４６の屈折率は、光学膜４６と接触する一方の光透過性基板１０の屈折率とは異なる。光学膜４６の屈折率は、光学膜４６と接触する一方の光透過性基板１０の屈折率、空気の屈折率及び液体１６の屈折率のいずれよりも大きい。
【００３９】
光学膜４６は、図２に示すように。シール材１４に囲まれた領域の内側の少なくともシール材１４に隣接する部分に配置されている。光学膜４６は、シール材１４に囲まれた領域の全体にわたって配置されている。さらに、光学膜４６は、シール材１４に囲まれた領域の外側に至るように配置されている。
【００４０】
図４は、表示装置の作用効果を説明するための図である。図４には、図２に示す連通する駆動開口２６及び固定開口４４の内側での断面が示されている。この例では、液体１６が気泡４８を含有している。本実施形態によれば、気泡４８を確認しやすくなっており、以下その作用を説明する。
【００４１】
光学膜４６の上面に自然光を投射したときに、上面４６ａで反射して進行する反射光と、光学膜４６に入射して下面４６ｂで反射して上面４６ａから出射する反射光とが干渉する。
【００４２】
光学膜４６の上面４６ａに隣接する物質（液体１６又は気泡４８の空気）の屈折率をｎ０、光学膜４６の屈折率をｎ１、光学膜４６と接触する一方の光透過性基板の屈折率をｎ２とすると、
ｎ０＜ｎ１、且つｎ２＜ｎ１
である。
【００４３】
自然光は、波長及び光学膜４６への入射角度が異なる光線群からなる。自然光に含まれる波長λ０の光線群は、光学膜４６の上面４６ａで反射する第１光線Ｌ１と、光学膜４６の下面４６ｂで反射して上面４６ａから出射する第２光線Ｌ２と、を含む。なお、第１光線Ｌ１及び第２光線Ｌ２は、垂直入射光であるものとするが、図４では、見やすくするために斜めに入射するように示してある。液体１６を通過する第１光線Ｌ１と第２光線Ｌ２が一対となって干渉し、気泡４８（空気）を通過する第１光線Ｌ１と第２光線Ｌ２が一対となって干渉する。
【００４４】
液体１６及び気泡４８（空気）のそれぞれを通過する一対の第１光線Ｌ１及び第２光線Ｌ２の光路差（実際の距離の差×屈折率）が、波長λ０の１／２の奇数倍であるときに、第１光線Ｌ１及び第２光線Ｌ２の反射率は、
Ｒmax＝（（ｎ０ｎ２−ｎ１２）／（ｎ０ｎ２＋ｎ１２））２
で求められる最大値を示す。
【００４５】
液体１６及び気泡４８（空気）のそれぞれを通過する一対の第１光線Ｌ１及び第２光線Ｌ２の光路差が、波長λ０の整数倍であるときに、第１光線Ｌ１及び第２光線Ｌ２の反射率は、
Ｒmin＝（（ｎ０−ｎ２）／（ｎ０＋ｎ２））２
で求められる最小値を示す。
【００４６】
自然光が液体１６を通過したときの自然光の反射率は、最小値及び最大値を求める上記式のｎ０に液体１６の屈折率を代入して得られる最小反射率ＲLIQUIDminから最大反射率ＲLIQUIDmaxの範囲である。
【００４７】
液体１６が光学膜４６上に気泡４８を含有し、自然光が気泡４８を通過したときの自然光の反射率は、最小値及び最大値を求める上記式のｎ０に空気の屈折率を代入して得られる最小反射率ＲAirminから最大反射率ＲAirmaxの範囲である。
【００４８】
例えば、気泡４８（空気）の屈折率が１．００、液体１６の屈折率が１．３７、光学膜４６の屈折率が１．８０、光透過性基板（ガラス基板）の屈折率が１．５２であるときの反射率の範囲を次の表に示す。
【００４９】
【表１】
0005752519.tif 000002
【００５０】
自然光が気泡４８（空気）を通過したときの平均値である９％は、自然光が液体１６を通過したときの平均値である２．７５％の２倍よりも大きくなっている。したがって、本実施形態によれば、反射率の差により気泡４８を確認しやすくなっている。
【００５１】
これに対して、光学膜４６を有しない従来の構造では、自然光が気泡４８（空気）を通過したときの反射率の平均値である４％と、自然光が液体１６を通過したときの反射率の平均値である６．２５％とは差が小さい。そのため反射率の差によっては気泡４８を確認しにくいことが分かる。
【００５２】
なお、光学膜４６は、図２に示すように、光透過性基板のシール材１４から外側に突出した部分にも形成されている。この部分は、シール材１４に囲まれた領域の外側であるため、元々、液体１６が存在せず、気泡４８と同様に空気が光学膜４６に隣接している。したがって、シール材１４の外側の領域の反射率は、気泡４８が生じた領域の反射率と同じであるため、気泡４８の存在を確認するときの基準にすることができる。
【００５３】
［第２の実施形態］
図５は、本発明の第２の実施形態に係る表示装置の作用効果を説明するための図である。この例では、光学膜４６は、その上面４６ａに一方の光透過性基板１２が隣接するように配置されている。そして、光学膜４６の上面４６ａに自然光を投射したときに、光学膜４６の上面４６ａで反射して進行する反射光と、光学膜４６に入射して下面４６ｂで反射して上面４６ａから出射する反射光とが干渉する。
【００５４】
この例では、光学膜４６の下面４６ｂに隣接する物質の屈折率をｎ０、光学膜４６の屈折率をｎ１、光学膜４６と接触する一方の光透過性基板の屈折率をｎ２とすると、
ｎ０＜ｎ１、且つｎ２＜ｎ１
である。
【００５５】
自然光は、波長及び光学膜４６への入射角度が異なる光線群からなる。自然光に含まれる波長λ０の光線群は、上面４６ａで反射する第１光線Ｌ１と、下面４６ｂで反射して上面４６ａから出射する第２光線Ｌ２と、を含む。
【００５６】
第１光線Ｌ１と第２光線Ｌ２との光路差が、波長λ０の１／２の奇数倍であるときに、第１光線Ｌ１及び第２光線Ｌ２の反射率は、
Ｒmax＝（（ｎ２ｎ０−ｎ１２）／（ｎ２ｎ０＋ｎ１２））２
で求められる最大値を示す。
【００５７】
第１光線Ｌ１と第２光線Ｌ２との光路差が、波長λ０の整数倍であるときに、第１光線Ｌ１及び第２光線Ｌ２の反射率は、
Ｒmin＝（（ｎ２−ｎ０）／（ｎ２＋ｎ０））２
で求められる最小値を示す。
【００５８】
自然光が液体１６の上方で上面４６ａ及び下面４６ｂに反射したときの自然光の反射率は、最小値及び最大値を求める式のｎ０に液体１６の屈折率を代入して得られる最小反射率ＲLIQUIDminから最大反射率ＲLIQUIDmaxの範囲である。
【００５９】
液体１６が光学膜４６上に気泡４８を含有し、自然光が気泡４８の上方で上面４６ａ及び下面４６ｂに反射したときの自然光の反射率は、最小値及び最大値を求める式のｎ０に空気の屈折率を代入して得られる最小反射率ＲAirminから最大反射率ＲAirmaxの範囲である。
【００６０】
最小反射率ＲAirminと最大反射率ＲAirmaxの平均値は、最小反射率ＲLIQUIDminと最大反射率ＲLIQUIDmaxの平均値の２倍よりも大きい。
【００６１】
したがって、本実施形態でも第１の実施形態で説明した効果を達成することができる。
【００６２】
［第３の実施形態］
図６は、本発明の第３の実施形態に係る表示装置の作用効果を説明するための図である。この例では、光学膜は、第１光学膜５０と第２光学膜５２を含む。第１光学膜５０及び第２光学膜５２のそれぞれは、上面５０ａ，５２ａ及び下面５０ｂ，５２ｂを有する。第１光学膜５０の下面５０ｂに一方の光透過性基板１０が隣接している。第２光学膜５２の上面５２ａに他方の光透過性基板１２が隣接している。
【００６３】
第１光学膜５０及び第２光学膜５２のそれぞれの上面５０ａ，５２ａに自然光を投射したときに、第１光学膜５０の上面５０ａで反射して進行する反射光と、第１光学膜５０に入射して第１光学膜５０の下面５０ｂで反射して第１光学膜５０の上面５０ａから出射する反射光とが干渉し、第２光学膜５２の上面５２ａで反射して進行する反射光と、第２光学膜５２に入射して第２光学膜５２の下面５２ｂで反射して第２光学膜５２の上面５２ａから出射する反射光とが干渉する。
【００６４】
第１光学膜５０の上面５０ａ及び第２光学膜５２の下面５２ｂに隣接する物質の屈折率をｎ０、第１光学膜５０の屈折率をｎ１、第１光学膜５０と接触する一方の光透過性基板１０の屈折率をｎ２とすると、
ｎ０＜ｎ１、且つｎ２＜ｎ１
である。
【００６５】
第２光学膜５２の屈折率をｎ１２、第２光学膜５２と接触する他方の光透過性基板１２の屈折率をｎ２２とすると、
ｎ０＜ｎ１２、且つｎ２２＜ｎ１２
である。
【００６６】
自然光は、波長並びに第１光学膜５０及び第２光学膜５２への入射角度が異なる光線群からなる。自然光に含まれる波長λ０の光線群は、第１光学膜５０の上面５０ａで反射する第１光線Ｌ１と、第１光学膜５０の下面５０ｂで反射して第１光学膜５０の上面５０ａから出射する第２光線Ｌ２と、第２光学膜５２の上面５２ａで反射する第３光線Ｌ３と、第２光学膜５２の下面５２ｂで反射して上面５２ａから出射する第４光線Ｌ４と、を含む。
【００６７】
液体１６を通過する第１光線Ｌ１及び第２光線Ｌ２が一対となって干渉し、気泡４８（空気）を通過する第１光線Ｌ１及び第２光線Ｌ２が一対となって干渉する。また、液体１６の上方の第３光線Ｌ３及び第４光線Ｌ４が一対となって干渉し、気泡４８（空気）の上方の第３光線Ｌ３及び第４光線Ｌ４が一対となって干渉する。
【００６８】
液体１６及び気泡４８（空気）のそれぞれを通過する一対の第１光線Ｌ１及び第２光線Ｌ２の光路差が、波長λ０の１／２の奇数倍であるときに、第１光学膜５０の上面５０ａ及び下面５０ｂでの第１光線Ｌ１及び第２光線Ｌ２の反射率は、
Ｒmax＝（（ｎ０ｎ２−ｎ１２）／（ｎ０ｎ２＋ｎ１２））２
で求められる第１最大値を示す。
【００６９】
液体１６及び気泡４８（空気）のそれぞれを通過する一対の第１光線Ｌ１及び第２光線Ｌ２の光路差が、波長λ０の整数倍であるときに、第１光学膜５０の上面５０ａ及び下面５０ｂでの第１光線Ｌ１及び第２光線Ｌ２の反射率は、
Ｒmin＝（（ｎ０−ｎ２）／（ｎ０＋ｎ２））２
で求められる第１最小値を示す。
【００７０】
自然光が液体１６を通過したときの第１光学膜５０の上面５０ａ及び下面５０ｂでの自然光の反射率は、第１最小値及び第１最大値を求める式のｎ０に液体１６の屈折率を代入して得られる最小反射率ＲLIQUIDminから最大反射率ＲLIQUIDmaxの範囲である。
【００７１】
液体１６が第１光学膜５０上に気泡４８を含有し、自然光が気泡４８を通過したときの第１光学膜５０の上面５０ａ及び下面５０ｂでの自然光の反射率は、第１最小値及び第１最大値を求める式のｎ０に空気の屈折率を代入して得られる最小反射率ＲAirminから最大反射率ＲAirmaxの範囲である。
【００７２】
最小反射率ＲAirminと最大反射率ＲAirmaxの平均値は、最小反射率ＲLIQUIDminと最大反射率ＲLIQUIDmaxの平均値の２倍よりも大きい。
【００７３】
液体１６及び気泡４８（空気）のそれぞれの上方で上面５２ａ及び下面５２ｂに反射する一対の第３光線Ｌ３及び第４光線Ｌ４の光路差が、波長λ０の１／２の奇数倍であるときに、第２光学膜５２の上面５２ａ及び下面５２ｂでの第３光線Ｌ３及び第４光線Ｌ４の反射率は、
Ｒmax2＝（（ｎ２２ｎ０−ｎ１２２）／（ｎ２２ｎ０＋ｎ１２２））２
で求められる第２最大値を示す。
【００７４】
液体１６及び気泡４８（空気）のそれぞれの上方で上面５２ａ及び下面５２ｂに反射する一対の第３光線Ｌ３及び第４光線Ｌ４の光路差が、波長λ０の整数倍であるときに、第２光学膜５２の上面５２ａ及び下面５２ｂでの第３光線Ｌ３及び第４光線Ｌ４の反射率は、
Ｒmin2＝（（ｎ２２−ｎ０）／（ｎ２２＋ｎ０））２
で求められる第２最小値を示す。
【００７５】
自然光が液体１６の上方で反射したときの第２光学膜５２の上面５２ａ及び下面５２ｂでの自然光の反射率は、第２最小値及び第２最大値を求める式のｎ０に空気の屈折率を代入して得られる最小反射率ＲLIQUIDmin2から最大反射率ＲLIQUIDmax2の範囲である。
【００７６】
自然光が気泡４８の上方で反射したときの第２光学膜５２の上面５２ａ及び下面５２ｂでの自然光の反射率は、第２最小値及び第２最大値を求める式のｎ０に空気の屈折率を代入して得られる最小反射率ＲAirmin2から最大反射率ＲAirmax2の範囲である。
【００７７】
最小反射率ＲAirmin2と最大反射率ＲAirmax2の平均値は、最小反射率ＲLIQUIDmin2と最大反射率ＲLIQUIDmax2の平均値の２倍よりも大きい。
【００７８】
したがって、本実施形態でも第１の実施形態で説明した効果を達成することができる。
【００７９】
［変形例］
図７は、本発明の実施形態の変形例１を示す図である。この例では、光学膜１４６は、複数層からなる。このような複数層からなる光学膜１４６は、上記第１〜第３のいずれの実施形態にも適用可能である。
【００８０】
図８は、本発明の実施形態の変形例２を示す図である。この例では、シール材２１４は、一対の光透過性基板２１０，２１２の周縁部の第１部分２５４を避けるように配置されている。一対の光透過性基板２１０，２１２はそれぞれ矩形の平面形状を有しており、シール材２１４は、一対の光透過性基板２１０，２１２の少なくとも１つの角部２５６（あるいは全ての角部２５６）を避けて配置されている。一対の光透過性基板２１０，２１２の周縁部の第１部分２５４（角部２５６）が、シール材２１４から外側に突出する。一対の光透過性基板２１０，２１２の周縁部の第２部分２５８を通るように配置されている。第２部分２５８は、周縁部から第１部分２５４を除いた残りの部分全体であってもよいし、周縁部から第１部分２５４を除いた残りの部分のさらに一部であってもよい。この構造によれば、光透過性基板の広い領域を表示領域として利用しながら、シール材２１４の外側に、気泡が存在するときの基準となる領域（液体の存在しない領域）を形成することができる。
【００８１】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００８２】
１０  光透過性基板、１２  他方の光透過性基板、１４  シール材、１６  液体、２０  バックライト、２２  シャッタ、２４  駆動部、２６  駆動開口、２８  第１バネ、３０  第１アンカー部、３２  第１部、３４  第２部、３６  第３部、３８  第２アンカー部、４０  第２バネ、４２  遮光膜、４４  固定開口、４６  光学膜、４６ａ  上面、４６ｂ  下面、４８  気泡、５０  第１光学膜、５０ａ  上面、５０ｂ  下面、５２  第２光学膜、５２ａ  上面、５２ｂ  下面、１４６  光学膜、２１０  光透過性基板、２１２  光透過性基板、２１４  シール材、２５４  第１部分、２５６  角部、２５８  第２部分。
【図１】
0005752519.tif 000003
【図２】
0005752519.tif 000004
【図３】
0005752519.tif 000005
【図４】
0005752519.tif 000006
【図５】
0005752519.tif 000007
【図６】
0005752519.tif 000008
【図７】
0005752519.tif 000009
【図８】
0005752519.tif 000010